(57)【要約】      （修正有）【課題】本発明は、従来にない作用効果を発揮する非常に実用的なオープナーを提供することを目的とする。【解決手段】容器30の上部開口部を閉塞しているフィルム蓋材31を剥がすためのオープナーであって、摘み部１に、複数の棒状部材を並設して成るフィルム蓋材挟持部２が設けられ、前記各棒状部材間には前記フィルム蓋材31を挿入可能な隙間Ｓが設けられたものである。【選択図】図５
2020001746.tif 000002
【特許請求の範囲】
【請求項１】
容器の上部開口部を閉塞しているフィルム蓋材を剥がすためのオープナーであって、摘み部に、複数の棒状部材を並設して成るフィルム蓋材挟持部が設けられ、前記各棒状部材間には前記フィルム蓋材を挿入可能な隙間が設けられていることを特徴とするオープナー。
【請求項２】
請求項１記載のオープナーにおいて、前記フィルム蓋材挟持部は、中央の前記棒状部材とこの中央の前記棒状部材の左右に前記隙間を介して並設される側方の前記棒状部材とから成り、少なくとも前記中央の棒状部材は可撓性を有することを特徴とするオープナー。
【請求項３】
請求項２記載のオープナーにおいて、前記中央の棒状部材の先端部は上方に反り上がった反り上がり部が設けられ、前記中央の棒状部材の先端は前記側方の棒状部材の先端の上方に位置するように設けられていることを特徴とするオープナー。
【請求項４】
請求項１〜３いずれか１項に記載のオープナーにおいて、前記棒状部材の先端部は左右方向先細り形状に設けられていることを特徴とするオープナー。
【発明の詳細な説明】
【技術分野】
【０００１】
本発明は、オープナーに関するものである。
【背景技術】
【０００２】
従来、容器30の上部開口部がフィルム蓋材31で閉塞された容器入り食品（例えばカップゼリー）の該フィルム蓋材31を手で開封する際、内容物Ｊ（ゼリーや液体）が吹き出してしまう場合がある（図12参照）。
【０００３】
これは、フィルム蓋材31を開封する場合、一方の手で容器30の側面を押えつつ他方の手でフィルム蓋材31の端片31ａを摘んで剥がしているが、容器30の側面を押える力が強すぎたり、端片31ａを摘まんだ手がフィルム蓋材31の上面を押すように当接し、内容物Ｊが押圧された状態でフィルム蓋材31が開封されるからである。この種の製品は長期保存を目的として容器30内には空気が入らないように真空密閉されているということもあり、上記のようにフィルム蓋材31を開封すると内容物Ｊが吹き出し易い。
【発明の概要】
【発明が解決しようとする課題】
【０００４】
本発明は、前述した問題点を解決したもので、従来にない作用効果を発揮する非常に実用的なオープナーを提供する。
【課題を解決するための手段】
【０００５】
添付図面を参照して本発明の要旨を説明する。
【０００６】
容器30の上部開口部を閉塞しているフィルム蓋材31を剥がすためのオープナーであって、摘み部１に、複数の棒状部材２ａを並設して成るフィルム蓋材挟持部２が設けられ、前記各棒状部材２ａ間には前記フィルム蓋材31を挿入可能な隙間Ｓが設けられていることを特徴とするオープナーに係るものである。
【０００７】
また、請求項１記載のオープナーにおいて、前記フィルム蓋材挟持部２は、中央の前記棒状部材２ａとこの中央の前記棒状部材２ａの左右に前記隙間Ｓを介して並設される側方の前記棒状部材２ａとから成り、少なくとも前記中央の棒状部材２ａは可撓性を有することを特徴とするオープナーに係るものである。
【０００８】
また、請求項２記載のオープナーにおいて、前記中央の棒状部材２ａの先端部は上方に反り上がった反り上がり部３が設けられ、前記中央の棒状部材２ａの先端は前記側方の棒状部材２ａの先端の上方に位置するように設けられていることを特徴とするオープナーに係るものである。
【０００９】
また、請求項１〜３いずれか１項に記載のオープナーにおいて、前記棒状部材２ａの先端部は左右方向先細り形状に設けられていることを特徴とするオープナーに係るものである。
【発明の効果】
【００１０】
本発明は上述のように構成したから、内容物を吹き出させることなくフィルム蓋材を良好に開封することができるなど、従来にない作用効果を発揮する非常に実用的なオープナーとなる。
【図面の簡単な説明】
【００１１】
【図１】本実施例を示す斜視図である。
【図２】本実施例を示す平面図である。
【図３】本実施例を示す正面図である。
【図４】別実施例を示す斜視図である。
【図５】本実施例の使用状態説明図である。
【図６】本実施例の使用状態説明図である。
【図７】本実施例の使用状態説明図である。
【図８】本実施例の使用状態説明図である。
【図９】本実施例の使用状態説明図である。
【図１０】本実施例の使用状態説明図である。
【図１１】本実施例の使用状態説明図である。
【図１２】従来例の使用状態説明図である。
【発明を実施するための形態】
【００１２】
好適と考える本発明の実施形態を図面に基づいて本発明の作用を示して簡単に説明する。
【００１３】
容器30からフィルム蓋材31を剥がす際、例えば、フィルム蓋材31の端片31ａをフィルム蓋材挟持部２を構成する棒状部材２ａ間の隙間Ｓに挿入して挟み込み、この状態でフィルム蓋材挟持部２を容器30の上部開口縁部から反対側へ転動移動させると、フィルム蓋材31はフィルム蓋材挟持部２に巻き付けられながら容器30から剥がれる。
【００１４】
このフィルム蓋材挟持部２が容器30の上部開口縁部を転動移動する際、フィルム蓋材31を剥がすに必要となる力が作用し、このフィルム蓋材31を剥がす力は容器30の上方ではなく、可及的にフィルム蓋材31に近接し端片31ａと反対側へ作用して容器30が浮くこともない。
【００１５】
よって、容器30の側面を強く押える必要はなくなり、しかも、フィルム蓋材挟持部２が容器30の上部開口縁部に沿って移動するだけであり、フィルム蓋材31の上面を押してしまうことがないから、内容物の吹き出しはない。
【００１６】
従って、フィルム蓋材31を良好に開封することができる。
【実施例】
【００１７】
本発明の具体的な実施例について図面に基づいて説明する。
【００１８】
本実施例は、容器30の上部開口部を閉塞しているフィルム蓋材31を剥がすためのオープナーであって、摘み部１に、複数の棒状部材２ａを並設して成るフィルム蓋材挟持部２が設けられ、各棒状部材２ａ間にはフィルム蓋材31を挿入可能な隙間Ｓが設けられたものである。
【００１９】
具体的には、本実施例は、図１〜３に図示したように適宜な金属製の薄板材（ステンレス）を打ち抜き成形して設けられ、巾広の摘み部１に突設される細長板状部の長さ方向に二本のスリット状の隙間Ｓを形成して三本の棒状部材２ａ（中央の棒状部材２ａと、この中央の棒状部材２ａの左右位置に隣接される側方の棒状部材２ａ）が設けられている。尚、本実施例は合成樹脂製の成型品でも良い。
【００２０】
また、各棒状部材２ａは薄板状故に適度な可撓性を有しており、各棒状部材２ａは上下方向に撓み変形することができる。
【００２１】
また、中央の棒状部材２ａの先端２ａ’と側方の棒状部材２ａの先端２ａ’とは、互いに上下方向の異なる高さに位置するように設けられ、本実施例では、中央の棒状部材２ａに上方に反り上がった反り上がり部３を設けて構成されている。
【００２２】
従って、この棒状部材２ａの先端部間同士には開口部Ｐが形成され、この開口部Ｐからフィルム蓋材31の端片31ａを挿入して棒状部材２ａ同士の隙間Ｓに挟み込むことができる。
【００２３】
また、各棒状部材２ａの先端部は左右方向先細り形状に設けられている。
【００２４】
具体的には、図２に図示したように各棒状部材２ａの先端部における左右側面が先端側程内方へ傾斜する傾斜面に形成されている。
【００２５】
従って、この各棒状部材２ａの先端形状により、より一層、フィルム蓋材31の端片31ａを開口部Ｐに挿入し易くなる。
【００２６】
尚、本実施例では、フィルム蓋材挟持部２を三本の棒状部材２ａで構成したが、例えば図４に図示したように一本のスリット状の隙間Ｓを形成して二本の棒状部材２ａで構成しても良いなど、棒状部材２ａの数は適宜選択し得るものである。
【００２７】
本実施例は上述のように構成したから、容器30からフィルム蓋材31を剥がす際、例えば、フィルム蓋材31の端片31ａを開口部Ｐから挿入してフィルム蓋材挟持部２を構成する棒状部材２ａ間の隙間Ｓを通過させて挟み込み（図５，６参照）、この状態で摘み部１を摘まんでフィルム蓋材挟持部２を容器30の上部開口縁部を転動移動させると（図７，８参照）、フィルム蓋材31はフィルム蓋材挟持部２に巻き付けられながら容器30から剥がれる（図９，10参照）。
【００２８】
このフィルム蓋材挟持部２が容器30の上部開口縁部を転動移動する際、フィルム蓋材31を剥がすに必要となる力が作用し、このフィルム蓋材31を剥がす力は容器30の上方ではなく、可及的にフィルム蓋材31に近接し端片31ａと反対側へ作用して容器30が浮くこともない。つまり、フィルム蓋材挟持部２が容器30の上部開口縁部を転動移動する際、フィルム蓋材31を剥がすに必要となる引く力を、強度のある容器30の上部開口縁部で受けつつ（図11参照）、フィルム蓋材31を剥がすことになる為、フィルム蓋材31が剥がれる際に容器30が浮くことはない。
【００２９】
よって、容器30の側面を強く押える必要はなくなり（容器30が変形することがない）、しかも、フィルム蓋材挟持部２が容器30の上部開口縁部に沿って移動するだけであり、フィルム蓋材31の上面を押してしまうことがない。
【００３０】
よって、本実施例によれば、フィルム蓋材31の開封時に内容物Ｊを押圧してしまうことが無く、内容物Ｊを吹き出させることなくフィルム蓋材31を良好に開封することができる。
【００３１】
また、本実施例は、フィルム蓋材挟持部２は、中央の棒状部材２ａとこの中央の棒状部材２ａの左右位置に隙間Ｓを介して隣接される側方の棒状部材２ａとから成り、少なくとも中央の棒状部材２ａは可撓性を有するから、フィルム蓋材挟持部２に対するフィルム蓋材31の挟み込みが良好に行えることになる。
【００３２】
また、本実施例は、中央の棒状部材２ａの先端部は上方に反り上がった反り上がり部３が設けられ、中央の棒状部材２ａの先端は前記側方の棒状部材２ａの先端の上方に位置するように設けられているから、フィルム蓋材挟持部２に対するフィルム蓋材31の挟み込みを簡易且つ確実に行えることになる。
【００３３】
また、本実施例は、棒状部材２ａの先端部は左右方向先細り形状に設けられているから、この点においてもフィルム蓋材挟持部２に対するフィルム蓋材31の挟み込みを簡易且つ確実に行えることになる。
【００３４】
尚、本発明は、本実施例に限られるものではなく、各構成要件の具体的構成は適宜設計し得るものである。
【符号の説明】
【００３５】
Ｓ  隙間
１  摘み部
２  フィルム蓋材挟持部
２ａ  棒状部材
３  反り上がり部
30  容器
31  フィルム蓋材
【図１】
2020001746.tif 000003
【図２】
2020001746.tif 000004
【図３】
2020001746.tif 000005
【図４】
2020001746.tif 000006
【図５】
2020001746.tif 000007
【図６】
2020001746.tif 000008
【図７】
2020001746.tif 000009
【図８】
2020001746.tif 000010
【図９】
2020001746.tif 000011
【図１０】
2020001746.tif 000012
【図１１】
2020001746.tif 000013
【図１２】
2020001746.tif 000014